(57)【要約】【課題】  外科的切断用器具の延伸したブレードを提供すること。【解決手段】  本ブレードは、遠位切断端部、遠位非切断端部、及び遠位切断端部から遠位非切断端部へと同軸上に延伸する中間部分を備えてもよい。遠位切断端部は、器具の筐体の外側に位置してもよく、遠位非切断端部は、筐体の内側にある吸引部分の後方端部に位置してもよく、中間部分は、遠位切断部分から、筐体のチャンバ部分全体を通って、吸引部分へ、遠位切断端部へと同軸上に延伸してもよい。この構成により、生体物質を切断し、使い捨てブレード及び筐体全体を通して吸引源へと吸い取ることで、汚染を回避し、手術のための器具の殺菌を改善することが可能となる。【選択図】  図１
2018122096.tif 000002
【特許請求の範囲】
【請求項１】
外科的切断用器具のブレードであって、
遠位切断端部と、
前記遠位切断端部に動作可能に連結された中間部分と、
前記中間部分に動作可能に連結された遠位非切断端部と、を備え、
前記中間部分は、前記外科的切断用器具の筐体部分を通って同軸上に延伸するように構成され、
前記遠位非切断端部は、前記外科的切断用器具の吸引部分へと延伸するように構成されている、外科的切断用器具のブレード。
【請求項２】
前記ブレードが、一定の直径を有する剛性の中空円管である、請求項１に記載のブレード。
【請求項３】
前記遠位非切断端部が、前記筐体の外側に位置している、請求項１に記載のブレード。
【請求項４】
前記遠位非切断端部が、前記筐体の前記吸引部分の後方端部に位置している、請求項１に記載のブレード。
【請求項５】
前記ブレードが、
外側部材と、
内側部材と、を更に備える、請求項１に記載のブレード。
【請求項６】
前記外側部材が、前記遠位切断端部から、前記筐体の外側にある前記ブレードの部分へと延伸するように構成されている、請求項５に記載のブレード。
【請求項７】
前記内側部材が、前記遠位切断端部から前記筐体部分を通って前記吸引部分の中に入り前記遠位非切断端部へと同軸上に延伸するように構成されている、請求項５に記載のブレード。
【請求項８】
前記内側部材が、前記吸引部分の中へと、同軸上に延伸し、かつ同軸上に連結された前記筐体部分の構成要素を通過するように構成されている、請求項５に記載のブレード。
【請求項９】
前記構成要素が、チャンバ部分において同軸上に連結されている、ブレードロック機構、歯車列、灌注システム、及び可撓性プリント回路基板を含む、請求項８に記載のブレード。
【請求項１０】
前記灌注システムは、前記ブレード上の穴を囲繞して、液体が前記灌注システムから前記ブレードへと及び手術部位へと通過することを可能にするように構成されている、請求項９に記載のブレード。
【請求項１１】
前記ブレードは、液体が前記灌注システムから前記穴の中に入り前記外側部材を通って前記手術部位へと通過し、更に前記内側部材を通って前記吸引部分中の前記遠位非切断端部へと通過することを可能にするように構成されている、請求項１０に記載のブレード。
【請求項１２】
前記ブレードが、前記中間部分において前記ブレードロック機構によって前記筐体中に固定されている、請求項９に記載のブレード。
【請求項１３】
前記ブレードが、開口部を通って前記筐体の中へと挿入されるように構成されている、請求項１に記載のブレード。
【請求項１４】
前記ブレードが、
生体物質を切断し、かつ
前記切断した生体物質を、前記遠位切断端部から、前記筐体の中に同軸上に延伸する前記中間部分を通し、前記筐体部分を通して、前記吸引部分中の前記遠位非切断端部へと、及び吸い取ることで吸引源へと送るように構成されている、請求項１に記載のブレード。
【請求項１５】
前記ブレードが金属合金で作製されている、請求項１に記載のブレード。
【請求項１６】
前記ブレードが使い捨てである、請求項１に記載のブレード。
【発明の詳細な説明】
【技術分野】
【０００１】
本発明は、概して、外科的切断用器具、より具体的には、耳鼻咽喉（ＥＮＴ）手術のための延伸したブレードを有する切断器具に関する。
【背景技術】
【０００２】
ＥＮＴ手術は、耳、鼻、咽頭、頭部、及び頸部領域の疾患、傷害、又は変形の外科的治療である。ＥＮＴ手術は、先進技術、及び変形又は傷害を正すための大規模な再建手術も含む多岐にわたる手順を使用する、外科的専門サービスの最も複雑な分野の１つである。その結果、かかる手順を成功させるには、様々な外科的切断用器具を含む多数の外科用器具に頼る必要がある。
【０００３】
現在の外科的切断用器具は、使い捨てブレード部分と使い捨てではない筐体部分とで設計される。使い捨てではない筐体部分は、典型的に、近位チャンバ部分及びハンドピースを含み、吸引道、灌注システム、及び使い捨てブレードを駆動するためのモータ機構を収容する。使い捨てブレード部分は、短いブレードを備え、器具の使い捨てではない筐体部分の遠位端部に取り付けられる。この構成を利用すると、身体から切断されて吸引される生体物質は、使い捨てブレードと、筐体の使い捨てではない部分の両方を通過しなければならない。
【０００４】
吸引管の直径はブレードの直径より小さい。切断された物質が使い捨てブレードと使い捨てではない筐体との間を通過できるようにするために、吸引道をより狭くして、狭い管の中への吸引を増大させる必要がある。このため、切断された生体物質が吸い取られるとき、詰まり及び滞留が、使い捨てではない筐体の吸引道において生じ得る。したがって、筐体の滅菌プロセスは、使い捨てではない筐体の内側を生体物質がないように擦り、筐体部分を適切に滅菌するために、１つ又は２つ以上の特殊ブラシが必要とされるため、面倒である。結果として、この滅菌プロセスの複雑さにより、器具の不完全な滅菌が生じ得る。
【発明の概要】
【発明が解決しようとする課題】
【０００５】
このため、生体物質が器具の使い捨てではない部分の中に捕捉されるのを防止し、より行き届いた滅菌を可能にする外科的切断用器具を提供することが有用である。
【課題を解決するための手段】
【０００６】
遠位切断端部、遠位非切断端部、及び中間部分を備える外科的切断用器具において使用するためのブレード。本外科的切断用器具は、チャンバ部分及び吸引部分を含む筐体を備える。中間部分は、遠位切断端部から筐体の中に同軸上に延伸し、チャンバ部分を通過して、吸引部分の中に遠位非切断端部へと同軸上に延伸する。このため、遠位切断端部は、筐体から突出するブレードの一部の端部に位置してもよく、遠位非切断端部は、吸引部分の後方端部に位置してもよく、中間部分は、遠位切断部分から筐体のチャンバ部分全体を通って吸引部分へと同軸上に延伸してもよい。
【０００７】
ブレードは、一定の直径を有する剛性の円管であってもよく、使い捨てであってもよい。ブレードは、外側部材及び内側部材を更に備えてもよい。外側部材は、遠位切断端部から、筐体の外側にあるブレードの部分へと延伸してもよい。内側部分は、遠位切断端部から筐体の中に延伸し、チャンバ部分を通過して、吸引部分の中に遠位非切断端部へと同軸上に延伸してもよい。この構成により、生体物質を切断し、ブレード及び筐体全体を通して吸引源へと吸い取ることで、汚染を回避し、手術のための器具の殺菌を改善することが可能となり得る。
【０００８】
ブレードは、同軸上に連結されるチャンバ部分の構成要素を同軸上に通過してもよい。これらの構成要素は、歯車列、灌注システム、可撓性プリント回路基板、及びブレードロック機構を含んでもよい。ブレードロック機構は、動作中にブレードを筐体中に固定し得る。吸引部分は、ブレードの遠位非切断端部を収容してもよい。ブレードの遠位非切断端部は、最大で吸引部分の後方端部を含む、吸引部分内部のいずれの地点に延伸してもよい。このため、生体物質が手術中に切断されるとき、物質は、使い捨てではない筐体中に捕捉されるのを回避しながら、液体によって灌注され、ブレード全体を通して吸引部分へと、最終的には吸引チューブを通して吸引源へと吸引されてもよい。
【図面の簡単な説明】
【０００９】
本発明は、限定的ではなく例として、添付の図面の図において示される。
【図１】外科的切断用器具の斜視図である。
【図２】外科的切断用器具のブレードの斜視図である。
【図３】外科的切断用器具の断面斜視図である。
【図４】外科的切断用器具、及び筐体の内容物の平面図である。
【図５】外科的切断用器具の筐体の前方チャンバ部分、ベース部分、及び吸引部分の内容物の側面図である。
【図６Ａ】外科的切断用器具の筐体の前方チャンバ部分の側面図である。
【図６Ｂ】外科的切断用器具の筐体の前方チャンバ部分の内包物の側面図である。
【図７Ａ】外科的切断用器具の筐体の前方チャンバ部分における灌注弁及び灌注システムの側面図である。
【図７Ｂ】外科的切断用器具の筐体の前方チャンバ部分における灌注弁及び灌注システムの内包物の側面図である。
【図８】外科的切断用器具のブレードロック機構の断面斜視図である。
【発明を実施するための形態】
【００１０】
外科的切断用器具は、切断用使い捨てブレードがハンドルを完全に通過するように構成されてもよい。この構成により、切断された組織の全てが使い捨て部分の中に廃棄され得るため、ツールハンドルのより容易でより行き届いた滅菌が可能となり得る。加えて、ブレードを延伸させることで、滅菌プロセスが簡略化され、適切な滅菌手順が遵守される可能性が高くなり得る。
【００１１】
図１は、外科的切断用器具１００の斜視図である。外科的切断用器具１００は、筐体１０１、ブレード１０２、外側ポジションノブ１０３、及び電源コード筐体１０４を備える。外側ポジションノブ１０３は、ブレード１０２が外側ポジションノブ１０３を通過できるように、開口部１０３ａを備える。ブレード１０２は、筐体１０１中に固定され、開口部１０３ａを介して外側ポジションノブ１０３を通って同軸上に延伸する。筐体１０１は、後方ハンドピース部分１０５及び前方チャンバ部分１０６を備える。後方ハンドピース部分１０５は、ベース部分１０７及び吸引部分１０８を含む。この実施形態では、吸引部分１０８は、ベース部分１０７の上に位置する。しかしながら、吸引部分１０８は、ハンドピース部分１０５内部のベース部分１０７の下又は周辺のどこに位置してもよい。吸引部分１０８は、その後方端部上で、吸引チューブを介して吸引源に接続してもよい（図示せず）。ブレード１０２は、筐体１０１を通り、前方チャンバ部分１０６を通って、吸引部分１０８に延伸する。ブレード１０２は、吸引部分１０８の後方端部に延伸してもよい。
【００１２】
図２は、外科的切断用器具のブレード１０２の斜視図である。ブレード１０２は、２．０〜６．０ミリメートル（ｍｍ）の一定の直径を有する剛性の中空円管であってもよい。ブレード１０２はまた、長さが２００〜３００ｍｍであってもよい。ブレード１０２は、ステンレス鋼、チタン、又は他の金属合金で作製されてもよく、使い捨てであってもよい。この例示的実施形態では、ブレード１０２は、遠位切断端部１０９、遠位非切断端部１１０、及び遠位切断端部１０９から遠位非切断端部１１０へと延伸する中間部分１１１を備える。このため、中間部分１１１は、筐体の長さ全体を通り遠位非切断端部１１０へと延伸し得る。遠位切断端部１０９と遠位非切断端部１１０の両方は、開放していてもよく、遠位非切断端部１１０は、吸引部分１０８の後方端部へと延伸して（図１に示す通り）、更に液体及び残屑がブレードを通過し、吸い取られるようにしてもよい。
【００１３】
ブレード１０２は、外側部材１１２及び内側部材１１３を含む。外側部材１１２は、遠位切断端部１０９から、開口部１０３ａを通り、筐体１０１の外側に位置する中間部分１１１のセクションへと同軸上に延伸する。内側部材１１３は、遠位切断端部１０９から、開口部１０３ａを通り、筐体を通って、遠位非切断端部１１０へと同軸上に延伸する。
【００１４】
組織及び他の生体物質は、遠位切断端部１０９にて切断され、ブレードの全体を通り、筐体１０１を通って、遠位非切断端部１１０まで通過する。遠位切断端部１０９はまた、外側部材１１２及び内側部材１１３を含む。内側部材１１３は、遠位切断端部１０９から遠位非切断端部１１０まで延伸してもよい。外側部材１１２は、遠位切断端部１０９から筐体１０１の外側にある中間部分１１１のセクションへと延伸してもよい。外側部材１１２と内側部材１１３の両方は、遠位切断端部１０９に開口部を含む。遠位切断端部１０９における外側部材１１２の開口部は、外側部材１１２の上面に位置してもよく、組織が切断され、開口部を通過できるように、一式の歯（図示せず）によって囲繞されてもよい。遠位切断端部１０９にある外側部材１１２の開口部は、内側部材１１３の一部を露出していてもよい。遠位切断端部１０９における内側部材１１３の開口部は、内側部材１１３の底面に位置してもよく、また組織が切断され、開口部を通過できるように、一式の歯（図示せず）によって囲繞されてもよい。外側部材１１２は、完全に内側部材１１３の開口部を囲繞してもよい。
【００１５】
ブレード１０２は、切断された生体物質の灌注及び吸い取り用の穴１２８を有してもよい。穴１２８は、生理食塩水又は他の液体が灌注及び吸い取り中に外側部材１１２を吸引部位（図示せず）へと通過し、上方の内側部材１１３を遠位非切断端部１１０へと通過できるように、内側ノブ１２５上に位置してもよい。
【００１６】
図３は、外科的切断用器具１００の断面斜視図である。ブレード１０２は、筐体１０１を通って延伸してもよい。遠位非切断端部１１０は、筐体１０１内に位置し、遠位切断端部１０９は、筐体１０１から突出するブレードの一部の端部に位置する。ブレード１０２の中間部分１１１は、遠位切断端部から同軸上に延伸し、開口部１０３ａを介して外側ポジションノブ１０３を通過し、筐体１０１を通って吸引部分１０８中の遠位非切断端部１１０へと更に延伸する。
【００１７】
外側部材１１２は、遠位切断端部１０９から、開口部１０３ａを通って、中間部分１１１が筐体１０１に進入する直前の中間部分１１１のセクションへと延伸してもよい。内側部材１１３は、遠位切断端部１０９から、前方チャンバ部分１０６全体を通って、吸引部分１０８内に位置する遠位非切断端部１１０へと延伸する。遠位非切断端部１１０は、様々な長さを有してもよく、吸引部分１０８の後端部までを含む吸引部分１０８内部の任意の場所に延伸してもよい。このため、ブレード１０２は、ハンドピース１０５の後端部を通って、その結果、筐体１０１の後部、吸引部分１０８の端部まで延伸してもよい。
【００１８】
図４は、外科的切断用器具１００、及び筐体１０１の内容物の平面図である。ブレード１０２は、開口部１０３ａを介して外側ポジションノブ１０３を通り、前方チャンバ部分１０６を通って、吸引部分１０８の後端部へと延伸する。ブレード１０２は、筐体１０１と同軸上に延伸し、それを通過する。ブレード１０２の内側部材１１３は、吸引部分１０８の中に延伸し、吸引部分１０８の後方端部へと延伸してもよい。
【００１９】
外科的切断用器具は、現在、より短い使い捨てブレードと使い捨てではない筐体とで設計されている。現在の外科的切断用器具を使用する外科手術手順において、身体から切断されて吸引される生体物質は、使い捨てブレードと使い捨てではない筐体の両方を通過しなければならない。吸引管は、典型的に、切断された物質が切断器具の使い捨て部分と使い捨てではない部分との間を通過できるように、直径がより小さい。その結果、切断された生体物質が管を詰まらせ、また使い捨てブレードと使い捨てではない筐体との間に挟まれ得る。現在のブレードの場合、ブレードは、典型的に、筐体の中へと筐体の近位チャンバまでしか延伸せず、これを通過はしない。ブレード部分を筐体の近位チャンバで停止させることで、ハンドピースの汚染が増大し、滅菌が困難となる。
【００２０】
図４に戻ると、ブレード１０２は、筐体１０１の中に入り、前方チャンバ部分１０６全体を通り、吸引部分１０８へと延伸する。一実施形態では、ブレード１０２は、吸引部分１０８の後端部へと延伸してもよい。この構成により、吸引管の直径の増加が可能となり、それにより吸引管を通した生体物質の流れを増加させる。このため、管中の生体物質の詰まりが回避され得、その結果、生体物質が使い捨てブレードと使い捨てではない筐体の両方を通過する必要がなくなる。
【００２１】
代わりに、組織又は生体物質がブレード１０２によって切断又は粉砕されるときに、残屑が、完全に前方チャンバ部分１０６を通り、吸引部分１０８の端部へと延伸するブレード１０２全体を通して吸引され得る。次に、残屑は、吸引管を吸引源へと通過してもよい。このため、残屑は、典型的な外科的切断用器具のようには筐体１０１の構成要素と接触しない。その結果、より容易かつより行き届いた外科的切断用器具１００の滅菌及び汚染回避を達成することができる。
【００２２】
ブレード１０２はまた、筐体構成要素が延伸ブレードを収容するように同軸上に連結されることを条件として、現在の外科的切断用器具の使い捨てではない筐体を通過するように後付けされてもよい。本実施形態では、前方チャンバ部分１０６内部の構成要素の構成は、延伸しかつ前方チャンバ部分１０６全体を通過するブレード１０２を収容するように同軸上に連結される。これにより、ブレード１０２は、前方チャンバ部分１０６の構成要素を吸引部分１０８へと完全に通過することができるようになり、その結果、切断された生体物質にブレード１０２を吸引道１０８へと完全に通過させることで、筐体のより行き届いた滅菌が可能となる。
【００２３】
図５は、外科的切断用器具１００の筐体１０１の前方チャンバ部分１０６、ベース部分１０７、及び吸引部分１０８の内容物の側面図である。ブレード１０２は、同軸上に前方チャンバ部分１０６を通過し、吸引部分１０８へと延伸する。ブレード１０２は、吸引部分１０８の後方端部まで延伸してもよい。
【００２４】
現在の外科的切断用器具の筐体パッケージングは、短いブレード、吸引道システム、灌注システム、及びブレードを駆動するためのモータ機構を含むために窮屈であり得る。したがって、吸引部分及び吸引管は、短縮されたブレードを収容するためにより狭い。その結果、切断された生体物質は、吸引時に使い捨てではない筐体を詰まらせ得る。しかしながら、現在のブレードは、ブレードが、典型的に、筐体の中へと筐体の近位チャンバまでしか延伸せず、これを通過はしないため、構成要素の窮屈なパッケージング又は狭い吸引径を改善しない。ブレード部分を筐体の近位チャンバで停止させることで、物質が使い捨てではない筐体を詰まらせ得るため、滅菌がより困難となる。
【００２５】
図５を参照すると、ブレード１０２が、筐体１０１に入り、完全に前方チャンバ部分１０６を通り、吸引部分１０８へと延伸し、前方チャンバ部分１０６内に位置する構成要素を同軸上に通過する。この構成により、ブレード１０２は、前方チャンバ部分１０６の構成要素を通過することができる。その結果、切断された生体物質がブレード１０２を吸引部分１０８へと完全に通過していくため、より容易な滅菌を達成することができる。
【００２６】
前方チャンバ部分１０６は、筐体１０１の中空部分であり、これは、ブレードロック機構１１４、歯車列１１５、灌注システム１１６、その外側表面（図示せず）上の灌注弁１１７、及び可撓性プリント回路基板１１８を含んでもよい。ベース部分１０７は、筐体１０１の中空部分であり、これは、モータ機構１１９及び可撓性プリント回路基板１１８を含んでもよい。モータ機構１１９は、歯車列１１５を駆動する機構から前方に延伸する回転出力軸１２１を含んでもよい。吸引部分１０８は、ブレード１０２の内側部材１１３を含む筐体１０１の中空部分である。吸引部分は、ブレード１０２を通過させるのに十分に大きい直径寸法を有してもよく、０．１〜１．０ｍｍの厚さを有してもよい。吸引部分１０８は、その後方端部に吸引弁１２２を含んでもよい。吸引弁１２２は、切断された生体物質を吸い取るために吸引管及び吸引源（図示せず）に取り付けられてもよい。一実施形態では、ブレード１０２の内側部材１１３は、吸引弁１２２の端部まで延伸してもよい。このため、生体物質は、筐体中のブレード全体を通って、吸引管及び吸引源へと直接吸引され得る。
【００２７】
図６Ａは、外科的切断用器具１００の筐体１０１の前方チャンバ部分１０６の側面図である。ブレード１０２は、前方チャンバ部分１０６と同軸上に延伸し、それを通過する。ブレード１０２の内側部材１１３は、吸引部分１０８の中に延伸する。ブレード１０２は、筐体構成要素が延伸したブレードを収容するように同軸上に連結されることを条件として、現在の外科的切断用ツールに後付けされてもよい。本実施形態では、前方チャンバ部分１０６内部の構成要素の構成は、延伸し前方チャンバ部分１０６全体を通過するブレード１０２を収容するように同軸上に連結される。これにより、ブレード１０２は、前方チャンバ部分１０６の構成要素を吸引部分１０８へと完全に通過することができるようになり、その結果、切断された生体物質にブレード１０２を吸引道１０８へと完全に通過させることで、筐体のより行き届いた滅菌が可能となる。
【００２８】
歯車列１１５は、前方チャンバ部分１０６の後方端部に位置する。歯車列１１５は、上側歯車セット１１５ａ及び下側歯車セット１１５ｂを含んでもよい。上側歯車セット１１５ａは、同軸上に連結されたはすば歯車１１５ａ１とはすば歯車１１５ａ２とを含んでもよい。下側歯車セット１１５ｂは、同軸上に連結されたはすば歯車１１５ｂ１とはすば歯車１１５ｂ２とを含んでもよい。平歯車又はＶ字歯車を含む他の種類の歯車が歯車列１１５で使用されてもよい。このため、歯車が回転しているとき、はすば歯車１１５ｂ１及び１１５ｂ２の歯が互いに係合するのと同時に、はすば歯車１１５ａ１及び１１５ａ２の歯が互いに係合し得る。歯車列１１５は、ブレード１０２を駆動するためにブレード１０２の内側部材１１３に溶接されてもよい。こうして、歯車列１１５の回転がブレード１０２を駆動して動かし、生体物質を切断する。
【００２９】
本実施形態では、はすば歯車１１５ａ１は、可撓性プリント回路基板筐体１２３に同軸上に連結される。可撓性プリント回路基板筐体１２３は、灌注システム１１６に同軸上に連結される。はすば歯車１１５ａ２は、可撓性プリント回路基板１１８を構成する外側中空ケーシング１２４に同軸上に連結される。灌注システム１１６は、ロック機構１１４に連結される。灌注システム１１６及びロック機構１１４は、内側ノブ１２５を同軸上に囲繞する。内側ノブ１２５は、外側ポジションノブ１０３に同軸上に連結される。
【００３０】
灌注システム１１６及び可撓性プリント回路基板筐体１２３は、互いに更に連結されて、スペーサ１２６ａによって定位置に保持されてもよい。スペーサ１２６ａはまた、平行軸上で灌注システム１１６及び可撓性プリント回路基板筐体１２３を可撓性プリント回路基板１１８に連結させてもよい。可撓性プリント回路基板筐体１２３及びはすば歯車１１５ａ１は、互いに更に連結されて、スペーサ１２６ｂによって定位置に保持されてもよい。スペーサ１２６ｂは、平行軸上で可撓性プリント回路基板筐体１２３及びはすば歯車１１５ａ１をはすば歯車１１５ｂ１に更に連結させてもよい。はすば歯車１１５ａ２及び外側中空ケーシング１２４は、互いに更に連結されて、スペーサ１２６ｃによって定位置に保持されてもよい。スペーサ１２６ｃは、平行軸上ではすば歯車１１５ａ２をはすば歯車１１５ｂ２に更に連結させてもよい。外側中空ケーシング１２４及びモータ機構１３１は、スペーサ１２６ｄによって平行軸上で互いに更に連結されてもよい。他の実施形態では、構成要素は、任意の他の連結手段によって平行軸上で連結され得る。
【００３１】
このため、この構成では、ブレード１０２が、筐体１０１の中に挿入されるときに、開口部１０３ａを介して外側ポジションノブ１０３を同軸上に通過して延伸し、内側ノブ１２５、ロック機構１１４、灌注システム１１６、スペーサ１２６ａ、可撓性プリント回路基板筐体１２３、スペーサ１２６ｂ、上側歯車セット１１５ａ、スペーサ１２６ｃ、外側中空ケーシング１２４、及びスペーサ１２６ｄを同軸上に通過することによって、完全に前方チャンバ部分１０６を通って延伸し、次に吸引部分１０８の中に延伸する。ブレードを現在の外科的切断用器具におけるチャンバ部分内部で停止させる代わりに、ブレード１０２を、完全に前方チャンバ部分１０６に通し、前方チャンバ部分１０６の構成要素に同軸上に通して延伸させることで、切断された生体物質が、吸引され、完全にブレード１０２を通過し、吸引部分１０８の中に入ることが可能となり、前方チャンバ部分１０６における汚染を回避することによって滅菌を向上させる。
【００３２】
図６Ｂは、本外科的切断用器具の例示的なチャンバ部分１０６及び可撓性プリント回路基板１１８の内部内容物の図である。ブレード１０２は、チャンバ部分１０６及び可撓性プリント回路基板１１８の内部内容物を通過し、前方チャンバ部分１０６を通過し、吸引部分１０８の中へと同軸上に延伸する。可撓性プリント回路基板１１８は、可撓性プリント回路基板筐体１２３を含む。はすば歯車１１５ａ１は、ワッシャ１２７ａに更に同軸上に連結されてもよく、それにより可撓性プリント回路基板筐体１２３に更に同軸上に連結されてもよい。はすば歯車１１５ａ２はまた、ワッシャ１２７ｂに更に同軸上に連結されてもよく、それにより外側中空ケーシング１２４に更に同軸上に連結されてもよい。可撓性プリント回路基板筐体１２３は、可撓性プリント回路基板１１８を囲繞してもよく、灌注システム１１６に更に同軸上に連結されてもよい。
【００３３】
ワッシャ１２７ａ及びはすば歯車１１５ａ１は、互いに更に連結されて、スペーサ１２６ｂによって定位置に保持されてもよい。スペーサ１２６ｂは、平行軸上でワッシャ１２７ａ及びはすば歯車１１５ａ１をはすば歯車１１５ｂ１に更に連結させてもよい。はすば歯車１１５ａ２及びワッシャ１２７ｂは、互いに更に連結されて、スペーサ１２６ｃによって定位置に保持されてもよく、このスペーサ１２６ｃは、平行軸上でワッシャ１２７ｂ及びはすば歯車１１５ａ２をはすば歯車１１５ｂ２に更に連結させてもよい。ワッシャ及びスペーサの外径は、６．０〜７．０ｍｍであってもよい。ワッシャ及びスペーサの内径は、３．０〜４．０ｍｍであってもよい。他の実施形態では、構成要素は、任意の他の連結手段によって同軸上に連結され、平行軸上で連結され得る。
【００３４】
内側ノブ１２５も、灌注システム１１６によって囲繞される穴１２８を含む。穴１２８により、生理食塩水又は他の液体が灌注システム１１６からブレード１０２に通るようになり、切断された生体物質が延伸したブレード１０２を吸引部分１０８へと通過する際に、その吸い取りを助ける。この構成では、ブレード１０２が、筐体１０１の中に挿入されるときに、開口部１０３ａ、内側ノブ１２５、ロック機構１１４、灌注ハブ１２６、スペーサ１２６ａ、可撓性プリント回路基板１１８及び可撓性プリント回路基板筐体１２３、スペーサ１２６ｂ、ワッシャ１２７ａ、はすば歯車１１５ａ１及び１１５ａ２、スペーサ１２６ｃ、ワッシャ１２７ｂ、外側中空ケーシング１２４、並びにスペーサ１２６ｄを介して、外側ポジションノブ１０３と同軸上に延伸してそれを通過し、次に吸引部分１０８の中に延伸する。前方チャンバ部分１０６における構成要素の同軸上の連結により、ブレード１０２が前方チャンバ部分１０６の構成要素を吸引部分１０８へと通過することが可能となる。
【００３５】
内側ノブ１２５上の穴１２８は、灌注システム１１６によって囲繞される。ブレード１０２が挿入されると、内側ノブ１２５上の穴１２８が灌注システム１１６と整列し、その結果、液体が、灌注システム１１６から穴１２８の中に、続いてブレード１０２の中に流れ込む。このため、切断された生体物質及び液体がブレード１０２の内部の前方チャンバ部分１０６を吸引部分１０８へと通過することで、ブレードがチャンバの構成要素を通って延伸するときに、より容易かつより行き届いた滅菌を提供する。
【００３６】
図７Ａは、前方チャンバ部分１０６中の例示的な灌注システム１１６及び灌注弁１１７の図である。ブレード１０２は、灌注システム１１６と同軸上に延伸し、それを通過する。灌注弁１１７により、ブレード１０２が、灌注システム１１６を通り、前方チャンバ部分１０６を通り、吸引部分１０８の中へと延伸するときに、液体が、ブレード１０２の中に直接流れ込み、ブレード１０２を通過することが可能となる。
【００３７】
様々な外科手術手順において、手術部位を液体で灌注し、その後、灌注液及び生体物質を手術部位から吸引して引き出すことが望ましい。これを達成するため、灌注源に接続された灌注管（図示せず）を灌注弁１１７に接続してもよい。次に、生理食塩水、又は灌注の実施に好適な任意の他の液体を、灌注弁１１７に通し、灌注システム１１６に通し、続いて内側ノブ１２５上の穴１２８に通してもよい。
【００３８】
ブレード１０２が筐体の中に挿入されるとき、内側ノブ１２５上の穴１２８が灌注システム１１６と整列し、その結果、灌注システム１１６が内側ノブ１２５上の穴１２８を囲繞し収容するようになる。次に液体が、灌注弁１１７から、灌注システム１１６の中、穴１２８の中、続いてブレード１０２の中に流れ込む。穴１２８により、液体が、切断された生体物質と共に吸い取られるときに、ブレード１０２の外側部材１１２を手術部位へと通過し、最終的にブレード１０２の内側部材１１３を通過することが可能となる。液体は、ブレード１０２が、吸引部分１０８へと、次に吸引管の中へと外向きに延伸するときに、吸引によってブレード１０２の内側部材１１３全体を通って放射状に流れる。このため、外科的切断用器具１００は、組織を手術部位で切断しながら、同時に、延伸したブレード１０２を通して流動性物質を手術部位から除去するために使用することができる。
【００３９】
図７Ｂは、前方チャンバ部分１０６中の例示的な灌注システム１１６及び可撓性プリント回路基板１１８の内部内容物の図である。ブレード１０２は、同軸上に延伸して、灌注システム１１６及びプリント回路基板１１８を通過し、更に前方チャンバ部分１０６を通過する。ブレード１０２の内側部材１１３は、吸引部分１０８の中に延伸する（図７Ａに示す通り）。灌注中、液体は灌注システム１１６に進入する。灌注システム１１６は、内側ノブ１２５上の穴１２８を囲繞し、収容する。このため、ブレード１０２が挿入されると、内側ノブ１２５上の穴１２８が灌注システム１１６と整列し、その結果、液体が、灌注システム１１６から穴１２８の中に、続いてブレード１０２の中に流れ込む。液体は、続いて、内側ノブ１２５上の穴１２８を通ってブレード１０２の外側部材１１２に進入する。次に、液体は、吸引によって吸引部分１０８へと延伸するときに、手術部位に流れ、最終的にブレード１０２の内側部材１１３全体を通って放射状に流れる。次に、液体は、吸引部分１０８を通過するときに、内側部材１１３を通って吸引される（図７Ａに示す通り）。現在の外科的切断用器具ブレードは、吸い取りの間に吸引部分へと延伸するときに、液体を、灌注弁から、灌注システムの中へ、内側ノブ中の穴を通して、外側部材の中へ、ブレードの内側部材を通して流すようには構成されていない。
【００４０】
このため、ブレードを現在の外科的切断用器具におけるチャンバ部分内部で停止させる代わりに、ブレード１０２の内側部材１１３を、完全に前方チャンバ部分１０６に通し、前方チャンバ部分１０６の構成要素に同軸上に通して延伸させること、及び内側ノブ１２５上の穴１２８を有することにより、液体がブレード全体を通って手術部位へと放射状に流れた後、切断された生体物質と共に吸い取られるようになる。生体物質及び液体が吸引され、ブレード１０２全体を吸引部分１０８へと通過して、前方チャンバ部分１０６における汚染を回避することによって滅菌を向上させることができる。
【００４１】
図８は、内側部材１１３が筐体１０１の前方チャンバ部分１０６の中にロックされるときのブレード１０２を示す。ブレード１０２は、ブレードロック機構１１４と同軸上に延伸し、それを通過する。ブレード１０２は、ブレードロック機構１１４によって筐体１０１の中に定位置にロックされ得る。ブレードロック機構１１４は、高分子材料で作製されてもよく、前方チャンバ部分１０６の前方端部に位置してもよい。ブレードロック機構１１４は、押しボタン１２９、ロック歯１３０、及びばね１３１を備える。押しボタン１２９を押したまま保持することで、ロック歯１３０及びばね１３１がブレード１０２から離れて下方向に押される。このため、押しボタン１２９が下向きに押されたまま保持されると、ブレード１０２が筐体１０１の中に挿入され得る。押しボタン１２９を解放することで、ばね１３１が解放され、ロック歯１３０が、下方向に、内側ノブ１２５に対して、更にブレード１０２に対して押されるため、ブレード１０２が定位置にロックされる。押しボタン１２９を押したまま保持することで、次に、廃棄のためにブレード１０２が解放される。
【００４２】
本明細書の開示に基づいて多くの変更例が可能であることを理解されたい。特徴及び要素が特定の組み合わせで上記に説明されているが、各特徴又は要素は、他の特徴及び要素を用いずに単独で、又は他の特徴及び要素を用いて若しくは用いずに他の特徴及び要素との様々な組み合わせで使用されてもよい。
【００４３】
〔実施の態様〕
（１）  外科的切断用器具のブレードであって、
遠位切断端部と、
前記遠位切断端部に動作可能に連結された中間部分と、
前記中間部分に動作可能に連結された遠位非切断端部と、を備え、
前記中間部分は、前記外科的切断用器具の筐体部分を通って同軸上に延伸するように構成され、
前記遠位非切断端部は、前記外科的切断用器具の吸引部分へと延伸するように構成されている、外科的切断用器具のブレード。
（２）  前記ブレードが、一定の直径を有する剛性の中空円管である、実施態様１に記載のブレード。
（３）  前記遠位非切断端部が、前記筐体の外側に位置している、実施態様１に記載のブレード。
（４）  前記遠位非切断端部が、前記筐体の前記吸引部分の後方端部に位置している、実施態様１に記載のブレード。
（５）  前記ブレードが、
外側部材と、
内側部材と、を更に備える、実施態様１に記載のブレード。
【００４４】
（６）  前記外側部材が、前記遠位切断端部から、前記筐体の外側にある前記ブレードの部分へと延伸するように構成されている、実施態様５に記載のブレード。
（７）  前記内側部材が、前記遠位切断端部から前記筐体部分を通って前記吸引部分の中に入り前記遠位非切断端部へと同軸上に延伸するように構成されている、実施態様５に記載のブレード。
（８）  前記内側部材が、前記吸引部分の中へと、同軸上に延伸し、かつ同軸上に連結された前記筐体部分の構成要素を通過するように構成されている、実施態様５に記載のブレード。
（９）  前記構成要素が、チャンバ部分において同軸上に連結されている、ブレードロック機構、歯車列、灌注システム、及び可撓性プリント回路基板を含む、実施態様８に記載のブレード。
（１０）  前記灌注システムは、前記ブレード上の穴を囲繞して、液体が前記灌注システムから前記ブレードへと及び手術部位へと通過することを可能にするように構成されている、実施態様９に記載のブレード。
【００４５】
（１１）  前記ブレードは、液体が前記灌注システムから前記穴の中に入り前記外側部材を通って前記手術部位へと通過し、更に前記内側部材を通って前記吸引部分中の前記遠位非切断端部へと通過することを可能にするように構成されている、実施態様１０に記載のブレード。
（１２）  前記ブレードが、前記中間部分において前記ブレードロック機構によって前記筐体中に固定されている、実施態様９に記載のブレード。
（１３）  前記ブレードが、開口部を通って前記筐体の中へと挿入されるように構成されている、実施態様１に記載のブレード。
（１４）  前記ブレードが、
生体物質を切断し、かつ
前記切断した生体物質を、前記遠位切断端部から、前記筐体の中に同軸上に延伸する前記中間部分を通し、前記筐体部分を通して、前記吸引部分中の前記遠位非切断端部へと、及び吸い取ることで吸引源へと送るように構成されている、実施態様１に記載のブレード。
（１５）  前記ブレードが金属合金で作製されている、実施態様１に記載のブレード。
【００４６】
（１６）  前記ブレードが使い捨てである、実施態様１に記載のブレード。
【図１】
2018122096.tif 000003
【図２】
2018122096.tif 000004
【図３】
2018122096.tif 000005
【図４】
2018122096.tif 000006
【図５】
2018122096.tif 000007
【図６Ａ】
2018122096.tif 000008
【図６Ｂ】
2018122096.tif 000009
【図７Ａ】
2018122096.tif 000010
【図７Ｂ】
2018122096.tif 000011
【図８】
2018122096.tif 000012
【外国語明細書】
2018122096000001.pdf